(57)【特許請求の範囲】
【請求項１】
回動体と、弾性片と、を備える回動機構であって、
前記回動体は、２つの側壁を有し、前記２つの側壁には、それぞれ回動軸が設置されており、前記回動体は、前記弾性片と接触し、前記回動軸を中心に前記弾性片に対して回動し、
前記回動体の１つの前記回動軸には、突起部が設置されており、前記突起部は、複数の端面を有し、前記突起部の前記複数の端面の１つ端面は、前記弾性片と接触し、且つ押し付けて前記弾性片を変形させ、前記回動体は、前記回動軸を中心に前記弾性片に対して回動すると、前記突起部の前記弾性片と接触する端面が変化し、前記回動体は、前記突起部の端面が前記弾性片と接触することにより、前記回動体と前記弾性片との位置が固定され、
前記弾性片は、一組の連接部材を介して固設されており、前記各連接部材は、Ｕ文字型の凹部を含み、前記弾性片の両端は、前記２つの連接部材の前記Ｕ文字型の凹部にそれぞれ固設されていることを特徴とする回動機構。
【請求項２】
前記突起部は、互いに平行な２つの第一端面及び前記２つの第一端面の間に延在しており、且つ前記２つの第一端面とそれぞれ連接している第二端面を含み、前記回動体は、前記突起部の前記第一端面または前記第二端面を介して、前記弾性片と接触し、且つ押し付けて、前記弾性片を変形させることを特徴とする請求項１に記載の回動機構。
【請求項３】
本体と、回動機構と、一組のプラグとを備えるアダプタであって、
前記回動機構は、前記アダプタに取り付けられており、前記回動機構は、回動体及び弾性片を含み、前記弾性片は、前記本体に固設されており、前記プラグは、前記回動体に取り付けられており、前記回動体は、２つの側壁を有し、前記２つの側壁には、回動軸がそれぞれ設置されており、前記回動体は、前記弾性片と接触し、前記回動軸を中心に前記弾性片に対して回動し、
前記回動体の１つの前記回動軸には、突起部が設置されており、前記突起部は、複数の端面を有し、前記突起部の前記複数の端面の１つは、前記弾性片に接触し、且つ押し付けて、前記弾性片を変形させ、前記回動体は、前記回動軸を中心に前記弾性片に対して回動すると、前記突起部の前記弾性片と接触する端面が変更し、前記回動体は、前記突起部の端面が前記弾性片と接触することにより、前記回動体と前記弾性片との位置を固定させ、
前記本体には、凹部が設置されており、前記凹部は、第一側壁及び第二側壁を含み、前記弾性片は、一組の連接部材を介して前記凹部の前記第二側壁の前記回動体から離れている側に固設されており、前記各連接部材は、Ｕ文字型の凹部を含み、前記弾性片の両端は、前記２つの連接部材の前記Ｕ文字型の凹部にそれぞれ固設されていることを特徴とするアダプタ。
【請求項４】
前記突起部は、互いに平行な２つの第一端面及び前記２つの第一端面の間に延在しており、且つ前記２つの第一端面とそれぞれ連接している第二端面を含み、前記回動体は、前記突起部の前記第一端面または前記第二端面を介して前記弾性片と接触し、且つ押し付けて、前記弾性片を変形させることを特徴とする請求項３に記載のアダプタ。
【請求項５】
前記凹部は、前記回動体を収容することに用いられ、前記回動体は、前記回動体に前記突起部が設置されていない回動軸は、前記凹部の前記第一側壁に回動可能に設置されており、前記回動体に前記突起部が設置されている回動軸は、前記凹部の前記第二側壁に回動可能に設置されており、且つ前記突起部は、前記第二側壁から伸び出し、前記弾性片は、前記凹部の前記第二側壁における前記回動体から離れている側に固設されていることを特徴とする請求項３に記載のアダプタ。
【請求項６】
前記プラグは、Ｌ文字型の折り曲げられる構造の金属片であり、前記プラグは、第一端及び第二端を含み、前記プラグの前記第一端は、第三側壁から伸び出し、前記プラグの前記第二端は、前記回動軸から伸び出していることを特徴とする請求項５に記載のアダプタ。
【発明の詳細な説明】
【技術分野】
【０００１】
本発明は、アダプタに関し、特に回動機構及びその回動機構を備えるアダプタに関する。
【背景技術】
【０００２】
市販のアダプタのプラグがアダプタの絶縁カバーから突き出しているため、外部のものと衝突して、破損する恐れがある。従来技術のアダプタのプラグは、の絶縁カバーに固定されている。しかし、このようなアダプタのプラグプラグが回転できないので、利用できない場所もある。例えば、傾斜壁の上に設置されているソケットに差し込むことができない。
【発明の概要】
【発明が解決しようとする課題】
【０００３】
以上の問題に鑑み、本発明は、プラグの角度が調節できる回動機構及びこの回動機構を備え、適応性があるアダプタを提供することを目的とする。
【課題を解決するための手段】
【０００４】
以上の問題を解決するために、本発明に係る回動機構は、回動体と、弾性片と、を備え、回動体は、２つの側壁を有し、２つの側壁には、それぞれ回動軸が設置されており、回動体は、弾性片と接触し、回動軸を中心に弾性片に対して回動し、回動体の１つの回動軸には、突起部が設置されており、突起部は、複数の端面を有し、突起部の複数の端面の１つ端面は、弾性片と接触し、且つ押し付けて弾性片を変形させ、回動体は、回動軸を中心に弾性片に対して回動すると、突起部の弾性片と接触する端面が変化し、回動体は、突起部の端面が弾性片と接触することにより、回動体と弾性片との位置が固定され、前記弾性片は、一組の連接部材を介して固設されており、前記各連接部材は、Ｕ文字型の凹部を含み、前記弾性片の両端は、前記２つの連接部材の前記Ｕ文字型の凹部にそれぞれ固設されている。
【０００５】
以上の問題を解決するために、本発明に係るアダプタは、本体と、回動機構と、一組のプラグとを備え、回動機構は、アダプタに取り付けられており、回動機構は、回動体及び弾性片を含み、弾性片は、本体に固設されており、プラグは、回動体に取り付けられており、回動体は、２つの側壁を有し、２つの側壁には、回動軸がそれぞれ設置されており、回動体は、弾性片と接触しなら回動軸を中心に弾性片に対して回動し、回動体の１つの回動軸には、突起部が設置されており、突起部は、複数の端面を有し、突起部の複数の端面の１つは、弾性片に接触し、且つ押し付けて、弾性片を変形させ、回動体は、回動軸を中心に弾性片に対して回動すると、突起部の弾性片と接触する端面が変更し、回動体は、突起部の端面が弾性片と接触することにより、回動体と弾性片との位置を固定させ、前記本体には、凹部が設置されており、前記凹部は、第一側壁及び第二側壁を含み、前記弾性片は、一組の連接部材を介して前記凹部の前記第二側壁の前記回動体から離れている側に固設されており、前記各連接部材は、Ｕ文字型の凹部を含み、前記弾性片の両端は、前記２つの連接部材の前記Ｕ文字型の凹部にそれぞれ固設されている。
【発明の効果】
【０００６】
本発明に係る回動機構は、回動体が突起部の複数の端面を介して弾性片に接触しながら押し付けて弾性片を変形させることにより、回動体と弾性片との位置を相対的に固定させ、回動体を回動して、弾性片に接触する端面を変えることで、回動体と弾性片との角度を調節することができる。
【図面の簡単な説明】
【０００７】
【図１】図1は、本発明の実施形態に係るアダプタの斜視図である。
【図２】図２は、図１に示したアダプタの分解斜視図である。
【図３】図３は、図２に示したアダプタの別の視角から見た分解斜視図である。
【図４】図４は、図１に示したアダプタのＩＶ−ＩＶに沿う断面図である。
【図５】図５は、図４に示した回動体が回動過程における１つの状態を示す図である。
【図６】図６は、図１に示した回動体が回動過程におけるもう１つの状態を示す図である。
【発明を実施するための形態】
【０００８】
以下、図面を参照しながら本発明を更に説明する。
【０００９】
図１に示すように、アダプタ１は、本体１１、回動機構１２及び一組のプラグ１３を備える。図２を併せて参照すると、本体１１の内部が中空体である。回動機構１２は、回動体１２１及び弾性部材１２２を備える。弾性部材１２２は、本体１１に固定されている。本実施形態において、弾性部材１２２は、長尺状の弾性片である。回動体１２１は、本体１１に回動可能に連結されており、且つ弾性片１２２に対して回動する。一組のプラグ１３は、導体であり、例えば金属から製造されている。一組のプラグ１３は、回動体１２１に取り付けられており、且つ回動体１２１の回動に連動して回動できる。本体１１には、凹部１１１が設けられている。本実施形態において、凹部１１１は、本体１１の外表面の４つのコーナーのいずれかに設けられている。プラグ１３が回動体１２１における弾性片１２２に対して回動する際、一組のプラグ１３は、本体１１の凹部１１１から引き出しまたは凹部１１１に収容される。
【００１０】
図３に示したように、凹部１１１は、互いに対向する第一側壁１１１１及び第二側壁１１１２を有する。第一側壁１１１１及び第二側壁１１１２には、それぞれ１つのスルーホールが設けられている。本実施形態において、回動体１２１は、プラスチックなどの絶縁材料により製造された中空のカバーである。回動体１２１は、互いに平行する２つの側壁１２１１及び該２つの側壁１２１１の間に位置しており、且つ該２つの側壁１２１１とそれぞれ連接している第三側壁１２１２を有する。各側壁１２１１には、当該側壁１２１１と垂直な方向に沿って回動体１２１の外部に向けて突起している１つの回動軸１２１３が設けられている。２つの回動軸１２１３中の１つ回動軸１２１３には、突起部１２１４が設置されており、もう一つの回動軸１２１３には、突起部１２１４が設置されていない。突起部１２１４は、複数の端面１４を有する。本実施形態において、突起部１２１４の複数の端面１４は、それぞれ回動軸１２１３の突起部１２１４と連接している側面１５と垂直している。突起部１２１４が設置されていない回動軸１２１３は、第一側壁１１１１のスルーホール１１１０を介して凹部１１１の第一側壁１１１１に回動可能に設置されている。突起部１２１４が設置されている回動軸１２１３は、第二側壁１１１２のスルーホール１１１０を介して凹部１１１の第二側壁１１１２に回動可能に設置されている。第二側壁１１１２から突起している突起部１２１４は、突起部１２１４の複数の端面１４中の１つ端面１４を介して弾性片１２２に接触している。本実施形態において、弾性片１２２は、回動体１２１の上方に位置している。また、他の実施形態において、弾性片１２２は、回動体１２１の下方または側面に位置してもよい。
【００１１】
本実施形態において、弾性片１２２は、本体１１の内部の中空体に固設されている。図３に示すように、弾性片１２２は、一組の連接部材１１１３を介して凹部１１１の第二側壁１１１２における回動体１２１から離れている側に固設されている。具体的には、２つの連接部材１１１３は、第二側壁１１１２のスルーホール１１１０の両側に設置されており、各連接部材１１１３には、Ｕ文字型の凹部１１１４が設けられている。弾性片１２２の両端は、２つの連接部材１１１３の２つのＵ文字型の凹部１１１４にそれぞれ固設されている。
【００１２】
突起部１２１４の１つの端面１４は、弾性片１２２と接触し、弾性片１２２を押し付けて弾性片１２２が変形される。従って、回動体１２１は、突起部１２１４の端面１４が弾性片１２２を接触しながら押し付けることによって、回動体１２１と弾性片１２２との位置を相対的に固定させる。本実施形態において、突起部１２１４の端面１４が弾性片１２２に押し付けながら回動体１２１をさらに回動する時、突起部１２１４の弾性片１２２と接触する端面１４は、別の端面１４に変化する。突起部１２１４を回動しながら弾性片１２２と接触する端面１４を変化させる時、弾性片１２２をさらに押し付けることにより、回動体１２１が弾性片１２２からの弾性復帰力を受けて回動体１２１の回動を妨ぐ。したがって、回動体１２１と弾性片１２２との位置を相対的に固定させる。
【００１３】
本実施形態において、突起部１２１４は、互いに平行な２つの第一端面１４２と、１つの第二端面１４３及び１つの円弧端面１４４を含む。第二端面１４３及び１つの円弧端面１４４は、２つの第一端面１４２の間に延在しており、且つ２つの第一端面１４２とそれぞれ連接しており、円弧端面１４４は、第二端面１４３と対向する。第一端面１４２と第二端面１４３とが構成した夾角は、直角である。回動体１２１は、突起部１２１４の第一端面１４２または第二端面１４３を介して弾性片１２２と接触しながら押し付けて、弾性片１２２が変形される。それにより、回動体１２１と弾性片１２２との位置を相対的に固定させる。具体的に、図４を参照すると、初期状態において、回動体１２１は、本体１１の凹部１１１に収容され、且つ２つの第一端面１４２の中の１つ第一端面１４２は、弾性片１２２と接触しながら押し付けて、回動体１２１と弾性片１２２との位置を相対的に固定させる。予め設定された方向（例えば、反時計方向）に沿って回動体１２１を回動すると、第一端面１４２は、弾性片１２２と接触しながら押し付け、かつ弾性片１２２に対して回動する。図５は、図４に示した回動体１２１が回動過程における１つの状態を示す図である。回動体が９０度回動すると、第二端面１４３は、弾性片１２２と接触しながら押し付けて、回動体１２１と弾性片１２２との位置を相対的に固定させる。回動体１２１を続けて回動させると、第二端面１４３は、弾性片１２２に接触しながら押し付け、且つ弾性片１２２に対して回動する。図６は、図４の回動体が回動過程におけるもう１つの状態を示す図である。回動体１２１は、１８０度回動すると、２つの第一端面１４２の中のもう１つ第一端面１４２は、弾性片１２２と接触しながら押し付けて、回動体１２１と弾性片１２２との位置を相対的に固定させる。本発明の他の実施形態において、回動体１２１と弾性片１２２とのマルチアングル（多角度の位置決め）を得るために、異なる角度を呈する複数の端面１４が含む突起部１２１４を設置してもよい。例えば、突起部１２１４の切断面の形状は、六角形または八角形などの多角形である。
【００１４】
図２及び図３を参照すると、本実施形態において、プラグ１３は、Ｌ文字型の折り曲げられる構造の金属片である。プラグ１３は、第一端１３１及び第二端１３２を含む。プラグ１３の第一端１３１は、回動体１２１の第三側壁１２１２を通して第三側壁１２１２から伸び出してソケット（図に示せず）に差し込む。プラグ１３の第二端１３２は、回動体１２１の回動軸１２１３を通して回動軸１２１３から伸び出してアダプタ１の内部の導電端末（図に示せず）に接続する。
【００１５】
本実施形態において、本体１１には、開口部１１２が設けられている。開口部１１２は、凹部１１１と連通して凹部１１１と共同にＬ文字型を呈す。プラグ１３は、アダプタ１の凹部１１１に収容される時、ユーザが開口部１１２を通じて作用力を施してプラグ１３を回動させる。
【符号の説明】
【００１６】
１  アダプタ
１１  本体
１２  回動機構
１３  プラグ
１４  端面
１５  側面
１１１  凹部
１１１１  第一側壁
１１１２  第二側壁
１１１３  連接部材
１１１４  Ｕ文字型の凹部
１１２  開口部
１２１  回動体
１２１１  側壁
１２１２  第三側壁
１２１４  突起部
１４２  第一端面
１４３  第二端面
１３１  第一端
１３２  第二端
【図１】
0006799438.tif 000002
【図２】
0006799438.tif 000003
【図３】
0006799438.tif 000004
【図４】
0006799438.tif 000005
【図５】
0006799438.tif 000006
【図６】
0006799438.tif 000007